【手続補正書】
【提出日】平成21年9月9日(2009.9.9)
【手続補正１】
【補正対象書類名】特許請求の範囲
【補正対象項目名】全文
【補正方法】変更
【補正の内容】
【特許請求の範囲】
【請求項１】
トナー像が形成されたシートを加熱する第１の加熱装置と、
前記第１の加熱装置によって加熱されたシートを加熱する第２の加熱装置と、
前記第１の加熱装置から搬送されたシートを前記第２の加熱装置に搬送する第１の搬送路と、
前記第１の搬送路における前記第２の加熱装置の上流側の分岐部において前記第１の搬送路から分岐し、前記第２の加熱装置に搬送することなくシートを搬送する第２の搬送路と、
前記第２の搬送路を搬送されたシートが排出される排出トレイと、
シートが載置される再給紙トレイと、
前記再給紙トレイに載置されたシートを給送する給送部と、
前記給送部によって給送されたシートを前記第２の加熱装置へ搬送するための給送搬送路であって、前記第１の搬送路における前記第１の加熱装置と前記第２の加熱装置との間に合流する給送搬送路と、を有し、
前記第２の加熱装置に異常要因が生じた際に、前記第１の搬送路における前記分岐部の上流側に位置するシートを、前記第２の搬送路を通じて前記排出トレイに排出させ、
前記第２の加熱装置に異常要因が生じて前記排出トレイにシートが排出されたとき、前記排出トレイに排出されたシートを前記再給紙トレイにセットするように報知する報知部をさらに有し、
前記第２の加熱装置における異常要因が取り除かれ、前記第２の搬送路を通じて前記排出トレイに排出されたシートが前記再給紙トレイに載置された後、前記再給紙トレイに載置されたシートを前記給送部によって給送することを特徴とする画像形成装置。
【請求項２】
前記第２の加熱装置は、加熱部と冷却部とを有し、前記第１の加熱装置によって加熱されたシートを前記加熱部で加熱し、加熱後に前記冷却部で冷却することでシートの画像に光沢を付与することを特徴とする請求項１記載の画像形成装置。
【請求項３】
前記第２の加熱装置は、定着ローラと、前記定着ローラから所定間隔を保って配接された回転ローラと、前記定着ローラおよび前記回転ローラに巻き架けられて回転される無端状の無端ベルトと、前記無端ベルトを挟みつつ前記定着ローラに対峙して圧接される加圧ローラと、を有し、前記無端ベルトにおける前記定着ローラと前記回転ローラとの間の部
分で前記冷却部がシートを冷却することを特徴とする請求項２記載の画像形成装置。
【請求項４】
前記第２の加熱装置のシートの搬送方向の下流側に設けられ、前記第２の加熱装置に加熱されたシートを裁断する裁断装置を有し、前記裁断装置において異常要因が生じた際に、前記第１の搬送路における前記分岐部の上流側に位置するシートを、前記第２の搬送路を通じて前記排出トレイに排出させることを特徴とする請求項１乃至３のいずれか１項記載の画像形成装置。
【請求項５】
シートは、少なくとも一方の面に熱可塑性樹脂からなる層が設けられて構成されていることを特徴とする請求項１乃至４のいずれか１項記載の画像形成装置。
【請求項６】
トナー像が形成されたシートを加熱する第１の加熱装置と、
前記第１の加熱装置によって加熱されたシートを加熱する第２の加熱装置と、
前記第１の加熱装置から搬送されたシートを前記第２の加熱装置に搬送する第１の搬送路と、
前記第１の搬送路における前記第２の加熱装置の上流側の分岐部において前記第１の搬送路から分岐し、前記第２の加熱装置に搬送することなくシートを搬送する第２の搬送路と、
前記第２の搬送路を搬送されたシートが排出される排出トレイと、を有し、
前記第２の加熱装置に異常要因が生じた際に、前記第１の搬送路における前記分岐部と前記第２の加熱装置との間にあるシートを前記分岐部の上流側へ搬送し、前記分岐部の上流側に搬送したシートを前記第２の搬送路を通じて前記排出トレイ上に排出させる
ことを特徴とする画像形成装置。
【請求項７】
シートが載置される再給紙トレイと、
前記再給紙トレイに載置されたシートを給送する給送部と、
前記給送部によって給送されたシートを前記第２の加熱装置へ搬送するための給送搬送路であって、前記第１の搬送路における前記第１の加熱装置と前記第２の加熱装置との間に合流する給送搬送路と、
前記第２の加熱装置に異常要因が生じて前記排出トレイにシートが排出されたとき、前記排出トレイに排出されたシートを前記再給紙トレイに載置するように報知する報知部と、を有することを特徴とする請求項６記載の画像形成装置。
【請求項８】
シートにトナー画像を形成する画像形成部と、前記画像形成部によってトナー画像が形成されたシートを加熱する第１の加熱装置と、を備えた画像形成装置本体から搬送されたシートを搬送する第１の搬送路と、
前記第１の搬送路を搬送されるシートを加熱する第２の加熱装置と、
前記第１の搬送路における前記第２の加熱装置の上流側の分岐部において前記第１の搬送路から分岐し、前記第２の加熱装置に搬送することなくシートを排出する第２の搬送路と、
前記第２の搬送路を搬送されたシートが排出される排出トレイと、
シートが載置される再給紙トレイと、
前記再給紙トレイに載置されたシートを給送する給送部と、
前記給送部によって給送されたシートを前記第２の加熱装置へ搬送するための給送搬送路であって、前記第１の搬送路における前記第２の加熱装置の上流側に合流する給送搬送路と、を有し、
前記第２の加熱装置に異常要因が生じた際に、前記分岐部の上流側に位置するシートが、前記第２の搬送路を通じて前記排出トレイ上に排出され、
前記第２の加熱装置における異常要因が取り除かれ、且つ、前記第２の搬送路を通じて前記排出トレイに排出されたシートが前記再給紙トレイにセットされた後、前記第２の加
熱装置へ前記再給紙トレイにセットされたシートを前記給紙部が給送する
ことを特徴とするシート加熱装置。
【請求項９】
前記第２の加熱装置に異常要因が生じて前記排出トレイにシートが排出されたとき、前記排出トレイに排出されたシートを前記再給紙トレイに載置するように報知する報知装置を有することを特徴とする請求項８記載のシート加熱装置。
【請求項１０】
前記第２の加熱装置に異常要因が生じた際、前記第１の搬送路における前記分岐部と前記第２の加熱装置との間にあるシートを前記分岐部の上流側へ搬送し、前記分岐部の上流側に搬送したシートを前記第２の搬送路を通じて前記排出トレイ上に排出させることを特徴とする請求項８または９記載のシート加熱装置。
【請求項１１】
前記第２の加熱装置は、加熱部と冷却部とを有し、前記第１の加熱装置によって加熱されたシートを前記加熱部で加熱し、加熱後に前記冷却部で冷却することでシートの画像に光沢を付与することを特徴とする請求項８乃至１０のいずれか１項記載のシート加熱装置。
【請求項１２】
前記第２の加熱装置は、定着ローラと、前記定着ローラから所定間隔を保って配接された回転ローラと、前記定着ローラおよび前記回転ローラに巻き架けられて回転される無端状の無端ベルトと、前記無端ベルトを挟みつつ前記定着ローラに対峙して圧接される加圧ローラと、を有し、前記無端ベルトにおける前記定着ローラと前記回転ローラとの間の部分で前記冷却部がシートを冷却することを特徴とする請求項１１に記載のシート加熱装置。
【手続補正２】
【補正対象書類名】明細書
【補正対象項目名】００１１
【補正方法】変更
【補正の内容】
【００１１】
上記目的を達成するために、この発明の第１の発明は、
トナー像が形成されたシートを加熱する第１の加熱装置と、
前記第１の加熱装置によって加熱されたシートを加熱する第２の加熱装置と、
前記第１の加熱装置から搬送されたシートを前記第２の加熱装置に搬送する第１の搬送路と、
前記第１の搬送路における前記第２の加熱装置の上流側の分岐部において前記第１の搬送路から分岐し、前記第２の加熱装置に搬送することなくシートを搬送する第２の搬送路と、
前記第２の搬送路を搬送されたシートが排出される排出トレイと、
シートが載置される再給紙トレイと、
前記再給紙トレイに載置されたシートを給送する給送部と、
前記給送部によって給送されたシートを前記第２の加熱装置へ搬送するための給送搬送路であって、前記第１の搬送路における前記第１の加熱装置と前記第２の加熱装置との間に合流する給送搬送路と、を有し、
前記第２の加熱装置に異常要因が生じた際に、前記第１の搬送路における前記分岐部の上流側に位置するシートを、前記第２の搬送路を通じて前記排出トレイに排出させ、
前記第２の加熱装置に異常要因が生じて前記排出トレイにシートが排出されたとき、前記排出トレイに排出されたシートを前記再給紙トレイにセットするように報知する報知部をさらに有し、
前記第２の加熱装置における異常要因が取り除かれ、前記第２の搬送路を通じて前記排
出トレイに排出されたシートが前記再給紙トレイに載置された後、前記再給紙トレイに載置されたシートを前記給送部によって給送することを特徴とするものである。
【手続補正３】
【補正対象書類名】明細書
【補正対象項目名】００１３
【補正方法】変更
【補正の内容】
【００１３】
この発明の第３の発明は、
シートにトナー画像を形成する画像形成部と、前記画像形成部によってトナー画像が形成されたシートを加熱する第１の加熱装置と、を備えた画像形成装置本体から搬送されたシートを搬送する第１の搬送路と、
前記第１の搬送路を搬送されるシートを加熱する第２の加熱装置と、
前記第１の搬送路における前記第２の加熱装置の上流側の分岐部において前記第１の搬送路から分岐し、前記第２の加熱装置に搬送することなくシートを排出する第２の搬送路と、
前記第２の搬送路を搬送されたシートが排出される排出トレイと、
シートが載置される再給紙トレイと、
前記再給紙トレイに載置されたシートを給送する給送部と、
前記給送部によって給送されたシートを前記第２の加熱装置へ搬送するための給送搬送路であって、前記第１の搬送路における前記第２の加熱装置の上流側に合流する給送搬送路と、を有し、
前記第２の加熱装置に異常要因が生じた際に、前記分岐部の上流側に位置するシートが、前記第２の搬送路を通じて前記排出トレイ上に排出され、
前記第２の加熱装置における異常要因が取り除かれ、且つ、前記第２の搬送路を通じて前記排出トレイに排出されたシートが前記再給紙トレイにセットされた後、前記第２の加熱装置へ前記再給紙トレイにセットされたシートを前記給紙部が給送する
ことを特徴とするものである。